(57)【要約】【課題】  既設の雨樋を利用し、枯葉・塵埃・砂等の挟雑物を簡便に除去した比較的清浄な雨水を中水として貯留し、雨水を生活用水・非常時用水として再利用するための、構造が簡単で安価な雨水利用システムを提供する。【解決手段】  雨水貯留槽（１）は、縦雨樋連結管（２）から導入口（Ａ）を通じて取水した雨水を、網戸を利用したフィルター部（Ｂ）で挟雑物を除去した後、フィルター受け部（Ｃ）の流入穴から貯留し、残余の浮遊塵埃等は還流口（Ｄ）を通じて満水時に雨樋へ除去することにより、比較的清浄な雨水のみを中水として貯留させることを特長とする。  縦雨樋連結管（２）は、排出部（Ｊ）と受入部（Ｋ）を一体化することにより縦雨樋の強度保持と施工時の負担軽減をなすことを特長とする縦雨樋との連結管である。【選択図】図１
2008280841.tif 000002
【特許請求の範囲】
【請求項１】
請求項２に記載の雨水貯留槽及び請求項３に記載の縦雨樋連結管を利用して、既設の雨樋から枯葉・塵埃・砂等の挟雑物を簡便に除去した比較的清浄な雨水を中水として貯留し、雨水を生活用水・非常用水として有効利用、かつ洪水調整など総合治水対策に寄与するための雨水利用システムである。
【請求項２】
雨水貯留槽本体（１）は、雨水をフィルター部に拡散する為の導入口（Ａ）、取水した雨水から枯葉・塵埃・砂等の挟雑物を除去するためのフィルター部（Ｂ）、フィルター下部に位置する洗濯板状の平面部に複数個設けた流入穴があるフィルター受け部（Ｃ），貯留能力を超える流入水を残余の浮遊塵埃等と共に雨樋へ除去する還流口（Ｄ）、中水を貯留する貯留部（Ｅ）、貯留した中水を生活用水等として利用するための蛇口（Ｆ）、清掃時に使用する為の排水コック（Ｇ）、飛散防止や防虫の為の蓋（Ｈ）のそれぞれを設け、雨水を生活用水・非常用水として有効利用するものであり、同時に洪水調整など総合治水対策に寄与する雨水貯留槽である。
【請求項３】
縦雨樋連結管（２）は、縦雨樋の雨水を雨水貯留槽１に導く下向きに傾斜した排出部（Ｊ）と雨水貯留槽（１）からの溢水を縦雨樋に還流させる上向きに傾斜した受入部（Ｋ）とが一体化した縦雨樋連結管である。
【発明の詳細な説明】
【技術分野】
【０００１】  本発明は、建物に降った雨水の排水設備である縦雨樋から、縦雨樋に設けられた縦雨樋連結管（２）を通じて雨水貯留槽（１）に流入する雨水を中水として貯留し、雨水を生活用水として再利用する雨水利用システムに関するものである。
【背景技術】
【０００２】  近年の水資源の枯渇化に伴い、従来は下水道や河川にそのまま排出されていた雨水を有効利用する為のシステムが種々提案されている。
例えば、下記特許文献１の第１図には雨水貯留槽が開示されている。また、下記特許文献２の第１図には分岐管が開示され、建物屋根等に落下した雨水を下水道管に流下する雨水と貯留槽に貯留する雨水とに分流させる分流管に関する技術が開示されている。
【特許文献１】特許公開２００５−８３１８４
【特許文献２】特許公開２００３−３５２７
【発明の開示】
【発明が解決しようとする課題】
【０００３】  しかしながら、上記特許文献１に記載の雨水貯留槽は構造が複雑なため、製造コストが高額となることが予測でき、また清掃やメンテナンスも容易でない。また、上記以外の雨水貯留槽も溢水対策が不備であったり、雨水に含まれる挟雑物への対策がなされていないなどの問題がある。
また、上記特許文献２に記載の分流具は雨水に含まれる枯葉・塵埃・砂等の挟雑物によって目詰まりが生じることが多いという問題があり、また、貯留槽が満杯の場合には貯留槽に分流しない為、貯留水を一定期間利用しない場合には貯留水が腐敗するという問題も生じかねない。
本発明はこのような問題を解決して、構造が簡単で、枯葉・塵埃・砂等の挟雑物を殆ど含まない比較的清浄な雨水を中水として貯留し、再利用することのできる雨水利用システムを提供することを、その課題とする。
【課題を解決する為の手段】
【０００４】  上記課題を解決する為に、本発明においては、次のような技術的手段を講じている。
請求項２に記載の雨水貯留槽（１）は、雨水をフィルター部に拡散する為の導入口（Ａ）、取水した雨水から枯葉・塵埃・砂等の挟雑物を除去するためのフィルター部（Ｂ）、フィルター下部に位置する洗濯板状の平面部に複数個設けた流入穴があるフィルター受け部（Ｃ），貯留能力を超える流入水を残余の浮遊塵埃等と共に雨樋へ除去する還流口（Ｄ）、中水を貯留する貯留部（Ｅ）、貯留した中水を生活用水等として利用するための蛇口（Ｆ）、清掃時に使用する為の排水コック（Ｇ）、飛散防止や防虫の為の蓋（Ｈ）のそれぞれを設けた。
本発明は、以上のような構成からなる雨水貯留槽である。
【０００５】  請求項３に記載の縦雨樋連結管（２）は、縦雨樋の雨水を雨水貯留槽（１）に導く下向き４５度に傾斜した排出部（Ｊ）と雨水貯留槽（１）からの溢水を縦雨樋に還流させる上向き４５度に傾斜した受入部（Ｋ）とが一体化したものである。
【発明の効果】
【０００６】  請求項１に記載の発明には、次のような効果がある。
▲１▼  雨水から挟雑物を簡便に取捨した後の中水が貯留槽に貯留されるため、貯留槽内の中水を、植栽用散水・洗車用水等の生活用水及び防火用水や災害での断水時の非常用水として等、種々の用途に有効に再利用することができるほか、雨水を一時貯留できる為、洪水の調整機能を持つなど総合治水対策に寄与する。
▲２▼  貯留層に貯留される中水の溢水対策及び腐敗対策がなされているため、使用が中断される期間が長期化してもさほど問題とならない。
▲３▼  設置・取り扱い・メンテナンスを容易かつ安価に行なうことができる。
【０００７】  請求項２に記載の発明には、次のような効果がある。
▲１▼  雨水貯留槽本体（１）は地上に据え置けば良く、軽量なため個人で設置が容易に可能である。また、雨樋からの連結も、接続パイプを導入口（Ａ）に結合するだけで良く、簡単に設置できる。
▲２▼  導入口（Ａ）の入口部を筒状のままとするのに対し出口部を扁平な漏斗状にすることにより、枯葉・塵埃・砂等の挟雑物がフィルター部（Ｂ）に拡散し、目詰まりすることなく雨水が流入し貯留することができる。
▲３▼  フィルター部（Ｂ）に使用するフィルターに、市販の網戸を利用することで安価にかつ簡便に枯葉・塵埃・砂等の挟雑物を取り除くことができる。
▲４▼  フィルター受け部（Ｃ）の形状を洗濯板状とし、流入穴を複数個設けることで、目詰まりすることなく雨水が流入し、同時にフィルターが枯葉・塵埃・砂等の挟雑物で変形・破損することを防止することができる。
▲５▼  還流口（Ｄ）は、雨水貯留槽（１）側を扁平な漏斗状にすることにより、浮遊する塵埃等の挟雑物をスムースにかつ多量に縦雨樋に還流させることができ、溢水を防止することができる。
▲６▼  貯留部（Ｅ）に貯留された中水は、降雨時には常に新たな雨水がフィルター部を通して流入する為、腐敗やぼうふらの発生等を抑制することができる。
▲７▼  蛇口（Ｆ）を設けることで、貯留部（Ｅ）に貯留された中水を日常簡便に利用することが可能である。
▲８▼  排水コック（Ｇ）を設けることで、清掃等を容易に行うことができる。
▲９▼  蓋（Ｈ）を設けることで、雨水を流入させる際の飛散防止や防虫等ができる。
▲１０▼  導入口（Ａ）及び還流口（Ｄ）は左右両面に設けることで、雨水貯留槽を雨樋のどちらの側にも設置可能とすることができる。
▲１１▼  貯留した中水を、植栽用散水・洗車用水等の生活用水及び防火用水や災害での断水時の非常用水として等、種々の用途に有効に再利用することができるほか、雨水を一時貯留できる為、洪水の調整機能を持つなど総合治水対策に寄与することができる。
【０００８】  請求項３に記載の発明には、次のような効果がある。
▲１▼  雨樋連結管（２）の排出部（Ｊ）と受入部（Ｋ）が一体化しているため、既設の縦雨樋の一部数十ｃｍを切断するだけで縦雨樋連結管（２）と交換・設置することが可能であり、設置が容易である。
▲２▼  同様の理由により、交換後の縦雨樋の強度を保持することが可能である。
▲３▼  排出部（Ｊ）を縦雨樋から下向き４５度の傾斜角度とすることで、縦雨樋からの雨水は抵抗が減殺されてスムースに雨水貯留槽導入口に流入することができる。
▲４▼  受入部（Ｋ）を縦雨樋から上向き４５度の傾斜角度とすることで、雨水貯留槽還流口からの溢水は抵抗が減殺されて、浮遊塵埃等と共に詰まることなくスムースに縦雨樋に流入することができる。
▲５▼  排出部（Ｊ）と請求項２に記載の雨水貯留槽（１）の導入口（Ａ）を連結する為の接続パイプ、及び受入部（Ｋ）と雨水貯留槽の排出口を連結する為の接続パイプ各１本を付属させ、これらパイプを蛇腹状にすることで、縦雨樋連結管（２）と雨水貯留槽（１）の位置関係にかかわらず、両者を簡単に接続可能としている。
【発明を実施するための最良の形態】
【０００９】  以下、本発明の実施形態について図面を参照して詳細に説明する。図１は本発明にかかる雨水利用システムの概略構成を示す概略図である。【００１０】  概略図（図１）を参照して雨水を中水として利用するための一連の流れを説明する。
▲１▼  屋根に積もった枯葉や塵埃等の挟雑物を含んだ雨水は、縦雨樋から縦雨樋連結管（２）の排出部（Ｊ）を通過して、雨水貯留槽（１）の導入口（Ａ）から雨水貯留槽（１）本体内部に流れ込む。
▲２▼  雨水はフィルター部（Ｂ）で・塵埃・砂等の挟雑物が取り除かれた後、フィルター受け部（Ｃ）の流入穴から貯留部（Ｅ）へと流下し中水として貯留される。
▲３▼  貯留部（Ｅ）が満杯になった後、溢れた中水はフィルター部（Ｂ）で取りきれなかった表面に浮遊する微細な塵埃等の挟雑物と共に、還流口（Ｄ）から縦雨樋連結管（２）の受入部（Ｋ）を通過して縦雨樋に排出される。
▲４▼  貯留部（Ｅ）に貯留された中水は、蛇口（Ｆ）によって植栽用散水・洗車用水等の生活用水として日常使用でき、非常時の用水としても種々の用途に有効に再利用することができる。
▲５▼  また、台風・集中豪雨の予報が出た際には、貯留部（Ｅ）の内部を事前に空にしておくことで、洪水の調整機能を持つなど総合治水対策に寄与することができる。
▲６▼  排水コック（Ｇ）は、長期間使用した後、底に溜まった砂・塵埃等の清掃を容易に行うためのものである。
▲７▼  蓋（Ｈ）は、雨水を流入させる際の飛散防止や防虫等のために設備されている。【００１２】  鳥瞰図（図２）は、雨水貯留槽を雨樋のどちらの側にも設置可能とするため、導入口（Ａ）及び還流口（Ｄ）を左右両面に設けていることを示すものである。【００１３】  拡大図−１（図３）は、雨水貯留槽（１）のフィルター部（Ｂ）及びフィルター受け部（Ｃ）の詳細図である。【００１４】  拡大図−２（図４）は、導入口（Ａ）及び還流口（Ｄ）の部分詳細図である。
【図面の簡単な説明】
【図１】本発明の概略図である。
【図２】本発明の鳥瞰図である。
【図３】本発明のフィルター部（Ｂ）及びフィルター受け部（Ｃ）の詳細図である。
【図４】本発明の導入口（Ａ）及び還流口（Ｄ）の部分詳細図である。
【符号の説明】
１  雨水貯留槽本体
２  縦雨樋連結管
Ａ  導入口
Ｂ  フィルター部
Ｃ  フィルター受け部
Ｄ  還流口
Ｅ  貯留部
Ｆ  蛇口
Ｇ  排水コック
Ｈ  蓋
Ｊ  排出部
Ｋ  受入部
【図１】
2008280841.tif 000003
【図２】
2008280841.tif 000004
【図３】
2008280841.tif 000005
【図４】
2008280841.tif 000006